(57)【要約】【課題】  眼鏡を購入する際に、利用者自身が自分の目に合った眼鏡であるかどうかを容易に確認できるようにすること。及び、使用中の眼鏡についても、フレーム(4)の歪みなどにより瞳孔中心とレンズ(1)の光学中心とにズレが生じていないかを利用者自身が容易に点検することができるようにすること。【解決手段】  左右のレンズ(1)の表面に、中央部に透明な透視窓(30)を有する同じ図形(3)をそれぞれ表された眼鏡であり、前記図形(3)が各レンズ(1)の光学中心と前記透視窓(30)の中心とが一致するように同じ姿勢で表されていることを特徴とするものである。【選択図】  図１
0003108123.tif 000002
【実用新案登録請求の範囲】
【請求項１】
左右のレンズ表面には中央部に透明な透視窓を有する同じ図形がそれぞれ表されており、
前記図形は、各レンズの光学中心と前記透視窓の中心とが一致するように同じ姿勢で表されていることを特徴とする眼鏡。
【請求項２】
請求項１に記載の眼鏡において、
前記図形は、その直径が２ｍｍ〜３０ｍｍとなるように設定され、
前記透視窓は円形であり、その直径が１ｍｍ〜５ｍｍとなるように設定されていることを特徴とする眼鏡。
【請求項３】
請求項１又は２に記載の眼鏡において、
前記図形は、左右のレンズに剥離可能に貼着されるシールに描かれており、
前記透視窓は、透明なシール材又は前記シール材を所定形状に打抜いて形成された孔部からなることを特徴とする眼鏡。
【請求項４】
請求項１から３のいずれかに記載の眼鏡において、
前記図形は、１ｍｍ〜３ｍｍの帯幅を有するリング形状であることを特徴とする眼鏡。
【請求項５】
請求項１から４のいずれかに記載の眼鏡において、
既成老眼鏡であることを特徴とする眼鏡。
【請求項６】
請求項１から５のいずれかに記載の眼鏡に用いられるシールにおいて、
中央部に透明又は打抜形成された透視窓を有する図形が描かれた小さなシールであって、
前記図形には、前記透視窓の外周縁から半径方向外側に向かって、前記透視窓の中心において直交する補助線が描かれていることを特徴とするシール。
【考案の詳細な説明】
【技術分野】
【０００１】
本考案は、眼鏡に関するものである。特に、利用者自身が瞳孔中心とレンズの光学中心とが一致するかどうかを容易に確認することができる眼鏡に関するものである。
【背景技術】
【０００２】
眼鏡は、視力を矯正する医療器具として広く利用されており、利用者の目の状態に合わせて、近視用，遠視用，乱視用，老視用，遠近両用など様々な種類のものが存在している。
前記眼鏡は、凸レンズ又は凹レンズにより目のピント調節機能を補助するものであるから、利用者の目に適切なレンズを選択し前記レンズの度数や位置，傾斜などを適正に調整する必要があり、前記調整が不適正であると見えにくいだけでなく、眼精疲労や頭痛などの症状を引き起こすことにもなる。
【０００３】
一般に、目に合った眼鏡とは、(i)レンズの度数があっている、(ii)レンズの傾斜が適正である、(iii)目とレンズとの距離が12ｍｍである、(iv)利用者の瞳孔間距離(PD)と左右のレンズの光学中心間距離とが一致している、(v)レンズの光学中心(OC)を通して対象物を見ることができるなどの要件を満たすように調整が行われているものとされている。（図５参照）
そのため、眼鏡の設計図にあたる眼鏡処方箋には、遠用又は近用，レンズの度数，乱視の度数，乱視軸，斜位，基底，瞳孔間距離(PD)などの情報が記載されており、通常、これらの情報とフレーム形状に基づいて、レンズを選択・加工することにより、個々の利用者に合わせて１つずつオーダーメイドされている。
【０００４】
さらに、ほとんどの眼鏡店においては、仕上がった眼鏡を利用者に引き渡す際に、実際に眼鏡を装着した状態で利用者の目とレンズとの距離や位置が適正に調整されているかどうかを確認し、必要に応じて微調整や再調整を行っており、利用者の目に合った眼鏡であることを最終確認した上で利用者に提供している。
【考案の開示】
【考案が解決しようとする課題】
【０００５】
しかしながら、上記のように眼鏡処方箋に基づいて作製されたオーダー眼鏡であっても、  購入時や引き渡しの際には目に合っていると感じたものの、継続使用するうちに、眼精疲労や頭痛などの症状や、遠く又は近くが見えにくかったり、歪んで見えたりといった不具合に悩まされるという人が少なくないという現状がある。
このようなトラブルの多くは、前述の目に合った眼鏡の要件の(v)レンズの光学中心(OC)を通して対象物を見ることができるように調整されていないこと、つまり、利用者の目の瞳孔中心(PC)とレンズの光学中心(OC)とが一致しないことによるものである。
【０００６】
前述の眼鏡処方箋には、目に合った眼鏡の要件(i)〜(iv)を満たす調整に必要な情報は記載されているが、前記要件(v)を満たす調整に必要な情報は記載されていないため、眼鏡技術者は、フレームの平均的な高さにレンズの光学中心(OC)が位置するようにレンズを組み込んで眼鏡を作製しているのである。このように、利用者の瞳孔中心(PC)の位置を無視して作製していたのでは、前記要件(v)を満たす適正な眼鏡に仕上がる可能性は低く、継続使用によりトラブルが生じるのも当然と言わざるを得ない。
【０００７】
上記(v)のレンズの光学中心(OC)を通して対象物を見ることができる、つまり、利用者の瞳孔中心(PC)とレンズの光学中心(OC)とが一致している状態とは、図６に示されるように、レンズを通して対象物を見るときに、図６中の破線で示される利用者の視軸(Ax)上にレンズの光学中心(OC)が位置しているということである。
図６(a)には、眼鏡を装着した状態でパソコン画面やテレビなどのように真正面の対象物を見る場合を示している。このとき、利用者はレンズの光学中心(OC)よりも高い位置を通して対象物を見ることとなり、利用者の瞳孔中心(PC)とレンズの光学中心(OC)とは一致せず、両者間には上下方向に距離ｄのズレが生じている。
【０００８】
上記距離ｄのズレが生じることにより、レンズの度数をＰとすると、ｄ×Ｐで表されるプリズムが生じ、対象物の像が実際の位置からズレて見えることとなる。このズレを補正するために、眼球に付着した６本の眼外筋が複雑に伸縮されるから、目にかかる負担が大きく、その結果、眼精疲労や頭痛などの諸症状が引き起こされることとなる。
図６(b)には、同じ眼鏡を装着した状態で手元や机上の書物などの斜め下方に位置する対象物を見る場合を示している。このとき、利用者はレンズの光学中心(OC)を通して対象物を見ており、利用者の瞳孔中心(PC)とレンズの光学中心(OC)とは一致している。そのため、図６(a)のようなプリズムが生じることがなく、快適に継続使用することができる。
【０００９】
このように、同じ眼鏡であってもパソコン操作やテレビ鑑賞には適さないが、読書や書き物には適するということもある。つまり、利用者の瞳孔中心(PC)は各人一定というわけではなく、利用者の使用目的(対象物の位置)によって変化するものである。そのため、眼鏡は利用者の使用目的や生活スタイルに合わせて調整される必要がある。
目に合わない眼鏡のトラブルは、老眼鏡に代表される既成眼鏡において特に顕著である。既成眼鏡は、平均的な数値に基づいて設計されているから、利用者にとって、前述の瞳孔中心(PC)とレンズの光学中心(OC)の不一致だけでなく、瞳孔間距離(PD)，目とレンズの距離，レンズの傾斜角度などの目に合った眼鏡の要件(ii)〜(iv)の要件をも満たさない眼鏡である可能性が高いことに原因がある。
【００１０】
さらに、レンズが透明であるから、既成眼鏡を購入する際に、利用者自身が瞳孔間距離(PD)や光学中心(OC)が合っているかどうかを確認することは困難であり、多くの利用者は、並べられた既成眼鏡を片っ端から試着して、もっとも良さそうなものを直感的に選択しているのが現状である。この選択方法は、視神経及び眼筋肉を疲れさせ判断を鈍らせてしまう怖れがあり、自分に合った既成眼鏡を選び出すことは容易なことではない。
本考案は、上記事情を鑑みてなされたものであり、眼鏡を購入する際に、利用者自身が自分の目に合った眼鏡であるかどうかを容易に確認できるようにすることを課題とする。さらに、使用中の眼鏡について、フレームの歪みなどにより瞳孔中心とレンズの光学中心とにズレが生じていないかを利用者自身が容易に点検することができるようにすることをもうひとつの課題とする。
【課題を解決するための手段】
【００１１】
（１）請求項１に係る考案の眼鏡は、『左右のレンズ表面には中央部に透明な透視窓を有する同じ図形がそれぞれ表されており、
前記図形は、各レンズの光学中心と前記透視窓の中心とが一致するように同じ姿勢で表されている』ことを特徴とするものである。
これによれば、本考案の眼鏡を装着した状態で、左右の図形の透視窓を通して対象物を見ることができなかったり、無理に見ようとすると目に違和感や負担を感じる場合には、瞳孔中心とレンズの光学中心との間のズレが大きいと判断することができる。また、前記透視窓を通して対象物を見ることはできても、前記対象物の上に２つの図形からなる像が現れる場合も、瞳孔中心とレンズの光学中心との間にはズレがあると判断することができる。そして、前記透視窓を通して対象物を見るときに、前記対象物の上に左右の図形が１つに重なり合った像が現れる場合には、瞳孔中心と光学中心とが一致していると判断することができる。
【００１２】
これより、前記図形の透視窓を通して対象物を見る際に前記対象物の上に現れる像を確認することにより、瞳孔中心とレンズの光学中心が一致しているかどうかを利用者自身が判断することができる。
ここで、対象物は、利用者の眼鏡の使用目的に合わせて選択されるものであり、主に読書に利用するのであれば、本を読む際に紙面上に現れる像を確認すればよく、また、自動車の運転やテレビ鑑賞に利用するのであれば、正面を向いた姿勢で数メートル先の壁面や物品を見た際に壁面上に現れる像を確認すればよい。
前記図形は、左右の図形が互いに重なり合っているかどうかを容易に確認できるものであれば、円形，三角形，四角形などの一般的な図形をはじめ、ハート型や星型であってもよい。また、対象物の上に現れる像を認識できるものであれば、前記図形の彩色は不透明色だけでなく半透明色であってもよい。
【００１３】
（２）請求項２に係る考案の眼鏡は、『前記図形は、その直径が２ｍｍ〜３０ｍｍとなるように設定され、前記透視窓は円形であり、その直径が１ｍｍ〜５ｍｍとなるように設定されている』ことを特徴とする。
これによれば、前記透視窓を通して対象物を見ようとする際に、前記図形によって利用者の視軸が遮られることがないと共に、前記図形全体が無理なく自然に利用者の視界内に入るから、前記対称物の上に現れる像の一部が欠けたりすることがなく、前記像の形状を確実に判断することができる。前記図形の直径は、６ｍｍ〜１２ｍｍとするものが好ましく、特に８ｍｍ前後の直径とするものが最も好適である。
【００１４】
（３）請求項３に係る考案の眼鏡は、『前記図形は、左右のレンズに剥離可能に貼着されるシールに描かれており、前記透視窓は、透明なシール材又は前記シール材を所定形状に打抜いて形成された孔部からなる』ことを特徴とする。
これによれば、眼鏡の各レンズの光学中心にシールを貼着することにより、利用者の瞳孔中心とレンズの光学中心とが一致するかどうかを確認できる眼鏡とすることができる。また、前記シールを剥離することにより、普通の眼鏡として使用することができる。
【００１５】
（４）請求項４に係る考案の眼鏡は、『前記図形は、１ｍｍ〜３ｍｍの帯幅を有するリング状である』ことを特徴とする。
これによれば、帯幅の細く且つ簡単な円形状としたことにより、前記対象物の上に現れた像の形状、重なり合う左右の図形の僅かなズレを精度よく見極めることができる。
【００１６】
（５）請求項５に係る考案の眼鏡は、『既成の老眼鏡である』ことを特徴とする。
これによれば、老眼鏡を試着する際に、前記対象物の上に現れる像を確認することにより、目に合っているかどうかを利用者自身が容易に判断することができる。
（６）請求項６に係る考案のシールは、『中央部に透明又は打抜形成された透視窓を有する図形が描かれた小さなシールであって、
前記図形には、前記透視窓の外周縁から半径方向外側に向かって、前記透視窓の中心において直交する補助線が描かれている』ことを特徴とする。
これによれば、前記補助線の延長上に前記レンズの光学中心を位置するように調整することにより、前記シールを各レンズの適正な貼着位置に容易に貼着することができる。また、前記補助線を利用すれば、左右のレンズに図形が同じ姿勢となるように前記シールを貼着することが容易である。
【考案の効果】
【００１７】
以上のように、請求項１に係る考案によれば、左右のレンズの表面に中央部に透明な透視窓を有する同形の図形を前記透視窓と左右のレンズの光学中心と一致するように表わしたことにより、眼鏡を装着した状態で前記透視窓を通して対象物を見るだけで、視軸上にレンズの光学中心が位置しているかどうか、つまり、瞳孔中心とレンズの光学中心が一致しているかどうかを利用者自身が判断できるから、既成眼鏡の購入時やオーダー眼鏡の引き渡し時に、自分の目に合った眼鏡であるかどうかを利用者自身が容易に且つ明確に確認することができる。
また、使用中の眼鏡の光学中心に前記図形を表わすことにより、瞳孔中心とレンズの光学中心にズレが生じていないかを利用者自身が容易に点検することもできる。そのため、フレームの歪みなどを定期的に矯正して常に快適な眼鏡に維持することができる。
【００１８】
請求項２に係る考案によれば、図形の直径を２ｍｍ〜３０ｍｍとなるように、その透視窓を直径１ｍｍ〜５ｍｍの円形とすることにより、前記対象物の上に現れる像の形状を確実に判断できるから、より高い精度で目に合った既成眼鏡の選択、オーダー眼鏡の仕上がりの確認、又は、使用中の眼鏡の点検を行うことができる。
【００１９】
請求項３に係る考案によれば、剥離可能に貼着されるシールに図形が描かれていることにより、前記シールを眼鏡に貼着するだけで、利用者自身が瞳孔中心と光学中心とが一致するかどうかを判断可能な眼鏡とすることができるから、本考案の眼鏡の作製が容易である。また、前記シールを剥離すれば普通に使用できる点でも便利である。
請求項４に係る考案によれば、１ｍｍ〜３ｍｍの帯幅を有するリング状の図形としたことにより、前記対象物の上に現れた像の形状を精度よく見極めることができるから、より高い精度で目に合った既成眼鏡の選択、オーダー眼鏡の仕上がりの確認、又は、使用中の眼鏡の点検を行うことができる。
【００２０】
請求項５に係る考案によれば、既成の老眼鏡に応用したものでは、試着によって老眼鏡が目に合っているかどうかを利用者自身が容易に確認できるから、大量生産されている既成の老眼鏡の使用による目のトラブルを最小限に抑えることができる。
請求項６に係る考案によれば、透視窓の中心で直交する補助線が前記透視窓の外周縁から半径方向外側に向かって図形が描かれていることにより、前記シールを左右レンズの適正な貼着位置に確実に且つ容易に貼着することができるから、請求項１〜５のいずれかに記載の眼鏡を容易に作製することができる。
【考案を実施するための最良の形態】
【００２１】
以下に、本考案実施の形態について添付図面を参照しながら説明する。
本考案実施の形態にかかる眼鏡の一例を図１に示している。
このものは、平均的な数値に基づいて作製された既成の老眼鏡であり、金属フレーム(4)と、これに組み込まれた左右一対の老視用レンズ(1)と、前記レンズ(1)の光学中心に剥離可能に貼着された円形の図形シール(2)とからなっている。前記図形シール(2)には、中央部に透視窓(30)として機能する円孔(21)が打抜き形成されたリング状の図形(3)が印刷されている。
前記図形シール(2)は、図２に示されるように、円形の透明なシール材(20)に半透明なオレンジ色に着色されたリング状の図形(3)が前記シール材(20)と同心状に描かれた小型のシール片であり、前記図形(3)には、前記透視窓(30)の中心において直交する十字状の補助線(31)が黒色で描かれている。
【００２２】
前記図形シール(2)は、前記透視窓(30)の中心と前記レンズ(1)の光学中心とが一致するように前記レンズ(1)の表面側に貼着されているが、前記シール材(20)及びレンズ(1)がいずれも透明であるから、前記レンズ(1)の裏面側からも前記オレンジ色の図形(3)を視認することができるようになっている。
この例のものでは、前記図形シール(2)の直径は１１ｍｍであり、前記図形(3)の直径は８ｍｍ、前記透視窓(30)及び円孔(21)の直径は４ｍｍ、前記図形(3)の帯幅は２ｍｍに設定されている。
【００２３】
次に、図３に示されるように、実際にこの老眼鏡を装着して利用者の目に合っているかどうかを判断する方法について例示する。この例においては、説明の簡略化のために、図３に示されるように、目に合った眼鏡の要件(ii)である瞳孔間距離(PD)については適正に調整されていることを前提として説明を行うものとする。
図４(a)には、この例の老眼鏡を装着した状態で、対象物(5)として真正面に位置するパソコン画面に表示された文字列の「く」の文字を見る場合について示している。
【００２４】
この場合、左右の図形(3)の透視窓(30)を通して対象物(5)である「く」を見ようとしても、前記透視窓(30)が視軸(Ax)より下側に位置しているため、前記透視窓(30)を通して見ることは不可能である。また、図４(a)に示されるように、描かれる像(6)についても「く」の文字よりも下側に２つの図形の一部が重なるような形で現れるという結果となった。
これより、パソコン画面などの真正面に位置する対象物(5)を見る場合には、瞳孔中心(PC)とレンズ(1)の光学中心(OC)とのズレが大きく、プリズムが生じることとなるから、継続使用により眼精疲労や頭痛などの諸症状が引き起される可能性が高いと判断することができる。
【００２５】
図４(b)には、同じ老眼鏡について、対象物(5)として斜め下方に位置する机上の書類に表示された文字列の「く」の文字を見る場合について示している。
左右の図形(3)の透視窓(30)を通して対象物(5)である「く」を見るとき、図４(b)に示されるように、対象物(5)である「く」の文字の外周に左右の図形(3)が重なり合ってなる１つの像(6)が現れるという結果となった。
これより、机上の書類などの斜め下方に位置する対象物(5)を見る場合には、瞳孔中心(PC)とレンズ(1)の光学中心(OC)とが一致し、前記光学中心(OC)を通して対象物(5)を見ることができるから、快適に継続使用することができると判断することができる。
ここでは、前記瞳孔中心(PC)と光学中心(OC)との高さ位置のみが相違する老眼鏡について目に合っているかどうかの判断を行っているが、前記瞳孔間距離(PD)のみが不適正な場合にも図４(a)と同様に前記対象物(5)の上には２つ図形からなる像(6)が描かれることになる。
【００２６】
このように、老眼鏡を装着した状態で前記図形(3)の透視窓(30)を通して対象物(5)を見ることにより、視軸(Ax)上にレンズ(1)の光学中心(OC)が位置しているかどうか、つまり、利用者の瞳孔中心(PC)とレンズ(1)の光学中心(OC)が一致しているかどうかを利用者自身が容易に且つ確実に判断することができる。そのため、店頭に並べられた老眼鏡の中から利用者自身が自分の目に合った老眼鏡を選ぶことができるから、既成の老眼鏡による眼精疲労や頭痛などの目のトラブルを防止することができる。
【００２７】
また、前記図形(3)が直径８ｍｍ，帯幅２ｍｍのリング状であり、前記透視窓(30)の直径が４ｍｍであるから、前記対象物(5)の上に現れた像の形状を精度よく見極めることができるから、より高い精度で目に合った老眼鏡を選択することができる。
この例のものでは、左右のレンズ(1)の光学中心(OC)に剥離可能な図形シール(2)を貼着させたものであるから、眼鏡の作製が容易であると共に、購入後は前記図形シール(2)を剥離して普通の老眼鏡として使用することができる。
また、この例の図形シール(2)には、前記透視窓(30)の中心で直交する補助線(31)が描かれているから、前記図形シール(2)をレンズ(1)の光学中心(OC)に確実に且つ容易に貼着させることができる。
【００２８】
＊その他
本考案の眼鏡及びこれに用いられるシールは前述の実施の形態に限られるものではない。
前述の例においては、既成の老眼鏡のレンズ(1)に前記図形シール(2)を貼着させているが、他の既成眼鏡に貼着させるものであっても、眼鏡処方箋に基づいて作製されたオーダー眼鏡のレンズ(1)に貼着させるものであってもよい。前記オーダー眼鏡のレンズ(1)の光学中心(OC)に前記図形シール(2)を貼着することにより、眼鏡の引き渡し時に、利用者の目に合った眼鏡に仕上がっているかどうかを利用者自身により確認することができる。
【００２９】
また、使用中の眼鏡に前記図形シール(2)を貼着させることにより、瞳孔中心(PC)とレンズ(1)の光学中心(OC)とが一致しているかどうかを点検することもできる。このように定期的に点検を行うことにより、フレーム(4)の歪みなどに起因する前記瞳孔中心(PC)と光学中心(OC)とのズレを早期に発見し、修正することができるから、利用者の目に合った快適な眼鏡に維持することができる。
【００３０】
前述の例において、前記図形(3)は、前記レンズ(1)の表面に貼着される透明なシール材(20)に印刷されているが、前記レンズ(1)の表面又は裏面に転写や印刷などにより剥離不能に直に表されるものであってもよい。このように、前記図形(3)を剥離不能に表したものを商品の見本品として陳列することにより、販売商品一つ一つに前記図形シール(2)を貼着する手間を省くことができると共に、試着の繰返しにより前記図形シール(2)が適正な貼着位置からズレたり、剥がれたりするといった不都合を防止することができる。
【００３１】
また、前記図形(3)は、半透明なオレンジ色で描かれているが、前記図形(3)の透視窓(30)を通して対象物(5)を見るときに前記対象物(5)の上に現れる像(6)を視認できるものであれば、不透明であっても何色に彩色されるものであっても、左右のレンズ(1)に貼着する図形の彩色が異なるものであってもよい。例えば、右側のレンズ(1)に黄色の図形(3)を表し、左側のレンズ(1)に青色の図形(3)を表した場合には、両者が１つに重なり合ったときには前記対象物(5)の上に緑色の像(6)が現れることとなり、左右の図形の重なり合いを色によっても確認することができるから、前記像(6)の形状の確認が容易であると共に確実である。
前述の例において、前記図形(3)はリング状となっているが、三角や四角、楕円、ハート型、星型などの他の形状であってもよく、前記透視窓(30)の形状も対象物(5)を見ることができる大きさを有していればその形状は問わない。ただし、前記図形(3)の形状は、前記像(6)の形状の確認が容易な図形(3)とするのが好ましい。
【図面の簡単な説明】
【００３２】
【図１】本考案実施の形態の眼鏡を示す斜視図である。
【図２】図１の眼鏡に用いられるシールを示す平面図である。
【図３】図１の眼鏡を装着した状態を示す正面図である。
【図４】高さ位置の異なる対象物を見るときに現れる左右の図形からなる融像図形を示す説明図である。
【図５】従来の眼鏡を装着した状態を示す正面図である。
【図６】図５の眼鏡の光学中心(OC)と瞳孔中心(PC)との関係を示す説明図である。
【符号の説明】
【００３３】
(1)  レンズ
(2)  図形シール
(3)  図形
(30) 透視窓
(4)  フレーム  
(5)  対象物
(6)  像  
(PC) 瞳孔間距離
(OC) 光学中心
【図１】
0003108123.tif 000003
【図２】
0003108123.tif 000004
【図３】
0003108123.tif 000005
【図４】
0003108123.tif 000006
【図５】
0003108123.tif 000007
【図６】
0003108123.tif 000008